(57)【要約】【課題】どの様なトナーカートリッジが装着されている場合であっても、適切な濃度調整制御が可能な画像形成装置を提供する。【解決手段】トナーを用いて画像形成を行う画像形成装置が、トナーを収容する現像ユニットが着脱可能に装着される現像手段と、現像手段に装着された現像ユニットが品質が保証された品であるか否かを識別する識別手段と、現像手段に装着された現像ユニットについての濃度調整処理を制御する手段であって、識別手段によって品質が保証された品であると識別された場合と、品質が保証された品でないと識別された場合とで濃度調整処理について異なる制御を実行する制御手段とを有する。【選択図】  図３
2006030514.tif 000002
【特許請求の範囲】
【請求項１】
トナーを用いて画像形成を行う画像形成装置であって、
前記トナーを収容する現像ユニットが着脱可能に装着される現像手段と、
前記現像手段に装着された現像ユニットが、品質が保証された品であるか否かを識別する識別手段と、
前記現像手段に装着された現像ユニットについての濃度調整処理を制御する手段であって、前記識別手段によって品質が保証された品であると識別された場合と、品質が保証された品でないと識別された場合とで前記濃度調整処理について異なる制御を実行する制御手段とを有する
ことを特徴とする画像形成装置。
【請求項２】
請求項１において、
前記制御手段は、前記識別手段によって品質が保証された品でないと識別された場合に、前記濃度調整処理を行わないように制御する
ことを特徴とする画像形成装置。
【請求項３】
請求項１において、
前記制御手段は、前記識別手段によって品質が保証された品でないと識別された場合に、前記識別手段によって品質が保証された品であると識別された場合に行う濃度調整処理が可能であるか否かを判断し、可能であると判断した場合には当該濃度調整処理を行い、可能でないと判断した場合には濃度調整処理を行わない、という制御を行なう
ことを特徴とする画像形成装置。
【請求項４】
請求項１において、
前記制御手段は、前記識別手段によって品質が保証された品でないと識別された場合に、前記画像形成装置において当該品質が保証された品でないと識別された現像ユニットについての濃度調整処理が可能であるか否かを判断し、可能であると判断した場合には濃度調整処理を行い、可能でないと判断した場合には濃度調整処理を行わない、という制御を行なう
ことを特徴とする画像形成装置。
【請求項５】
請求項１あるいは請求項４において、
前記制御手段が制御する濃度調整処理に、前記現像手段における現像バイアス値の調整が含まれ、
前記識別手段によって品質が保証された品でないと識別された場合に、前記識別手段によって品質が保証された品であると識別された場合の前記現像バイアス値の調整範囲よりも広い前記画像形成装置の許容調整範囲をもって前記濃度調整処理が可能であるか否かを判断し、可能であると判断した場合には前記現像バイアス値の調整を行い、可能でないと判断した場合には前記現像バイアス値の調整を行わない、という制御が行われる
ことを特徴とする画像形成装置。
【発明の詳細な説明】
【技術分野】
【０００１】
本発明は、プリンタ、複写機、ファクシミリ等の画像形成装置に関し、特に、適切な濃度調整制御を行なうことのできる画像形成装置に関する。
【背景技術】
【０００２】
一般に、カラープリンタなどに設けられる電子写真技術を用いて画像を形成する画像形成装置は、画像データに応じて静電潜像が形成される像担持体と、像担持体の外周面を帯電させる帯電ユニットと、帯電された像担持体の外周面を画像データに応じて露光して静電潜像を形成する露光ユニットと、静電潜像に現像剤であるトナーを供給してトナー像に現像する現像装置と、トナー像を転写対象の媒体に転写させる転写ユニットとを有する。
【０００３】
かかる画像形成装置では、通常、常に良好な画像濃度での画像出力が行えるように、画像の濃度調整という処理を行っている。この濃度調整は、例えば、画像形成装置の電源投入時、所定枚数の画像形成を実行した後、あるいは、像担持体を交換したときなど、像担持体へのトナー像形成についての特性に変化があったと思われる際に実行される。また、この濃度調整は、各運転条件でパッチや細線などのパターンを像担持体上に作像し、そのパターンの濃度等をセンサにより検出して運転条件にフィードバックすることによって行われている。例えば、現像装置が有するトナーを収容したトナーカートリッジのローラ部分に印加する現像バイアスを変化させて、各バイアス値において塗りつぶしのパッチを作像する。そして、それら形成された各パッチの濃度を計測し、それらの値から所望の濃度値になるような現像バイアス値を求めて、その値になるような制御を行なう。
【０００４】
このような濃度調整の制御については、従来より幾つかの提案がなされており、下記特許文献１に記載の装置においては、速度を優先するモードに設定されている際に、前記濃度調整を実施せずに装置の立ち上げ動作を行い、画像出力までの時間短縮を図るという制御方法が開示されている。
【０００５】
一方、前記現像装置に装着されるトナーカートリッジには、その装着によりプリンタなどの画像形成装置が本来の性能を発揮できることが保証されているトナーカートリッジ、即ち、画像形成装置の製造元等が製造・販売しているトナーカートリッジと、そうでないトナーカートリッジ、即ち、画像形成装置の製造元が製造・販売に全く関与していないトナーカートリッジがある。以下、前者のトナーカートリッジをプリンタなどの画像形成装置の製造元が品質を保証した品と呼び、後者のトナーカートリッジをプリンタなどの画像形成装置の製造元が品質を確認していない品と呼ぶこととする。本来、画像形成装置には品質が保証された品を装着して使用すべきであるが、製造元が品質を確認していない品も販売されていることから、ユーザが、製造元が品質を確認していない品を装着して使用する場合もある。
【特許文献１】特開２００３−３４５１８０号公報
【発明の開示】
【発明が解決しようとする課題】
【０００６】
以上説明したように、従来から画像形成装置における濃度調整制御というものが行われていたが、かかる制御において、画像形成装置に装着されているトナーカートリッジが前述した品質が保証された品であるか否かについては考慮されていなかった。
【０００７】
通常の場合、画像形成装置には品質が保証された品のトナーカートリッジが装着されると想定されるので、前述した濃度調整も品質が保証されたトナーカートリッジに適した内容で、例えば、前記現像バイアスの調整では品質が保証された品に適した範囲で、処理が実行されるように制御される。従って、従来装置においては、製造元が品質を確認していないトナーカートリッジが装着されている時でも、そのことが考慮されないので、品質が保証された品と同様の内容で濃度調整が行われることとなる。一般に、品質が保証された品と製造元が品質を確認していない品とでは、トナーカートリッジ自体及び中に収容されるトナーの特性が異なることがあるため、同様の方法では濃度調整が行えない場合があり、その場合には、上述したように製造元が品質を確認していない品が装着されていると、濃度調整の処理がエラーとなり処理が中断する事態となってしまう。また、エラーが発生せずに濃度調整処理が終了したとしても良好な調整結果を得られない場合がある。従って、従来装置における濃度調整制御には未だ課題があった。
【０００８】
そこで、本発明の目的は、どの様なトナーカートリッジが装着されている場合であっても、適切な濃度調整制御が可能な画像形成装置を提供することである。
【課題を解決するための手段】
【０００９】
上記の目的を達成するために、本発明の一つの側面は、トナーを用いて画像形成を行う画像形成装置が、前記トナーを収容する現像ユニットが着脱可能に装着される現像手段と、前記現像手段に装着された現像ユニットが品質が保証された品であるか否かを識別する識別手段と、前記現像手段に装着された現像ユニットについての濃度調整処理を制御する手段であって、前記識別手段によって品質が保証された品であると識別された場合と、品質が保証された品でないと識別された場合とで前記濃度調整処理について異なる制御を実行する制御手段とを有することである。従って、本発明によれば、装着されている現像ユニットが品質が保証された品であるか否かに関わらず一律に品質が保証された品用の濃度調整を行う従来の制御による問題を解決することができる。すなわち、装着されている現像ユニットが製造元が品質を確認していない品である場合に、それに適した濃度調整制御が実施され、無理に品質が保証された品用の濃度調整を行ってエラーが発生してしまうという事態などを避けることができる。
【００１０】
更に、上記の発明において、一つの態様は、前記制御手段が、前記識別手段によって品質が保証された品でないと識別された場合に、前記濃度調整処理を行わないように制御することを特徴とする。これにより、製造元が品質を確認していない品の現像ユニットについて相応しくない可能性のある品質が保証された品用の濃度調整処理を行ってしまい問題が発生することを避けることができる。
【００１１】
また、上記の発明において、別の態様は、前記制御手段が、前記識別手段によって品質が保証された品でないと識別された場合に、前記識別手段によって品質が保証された品であると識別された場合に行う濃度調整処理が可能であるか否かを判断し、可能であると判断した場合には当該濃度調整処理を行い、可能でないと判断した場合には濃度調整処理を行わない、という制御を行なうことを特徴とする。これにより、装着されている現像ユニットが製造元が品質を確認していない品であり、品質が保証された品用の濃度調整が不可能な場合に無理に濃度調整を行ってしまうことを防ぐことができる。
【００１２】
更にまた、上記の発明において、別の態様は、前記制御手段が、前記識別手段によって品質が保証された品でないと識別された場合に、前記画像形成装置において当該品質が保証された品でないと識別された現像ユニットについての濃度調整処理が可能であるか否かを判断し、可能であると判断した場合には濃度調整処理を行い、可能でないと判断した場合には濃度調整処理を行わない、という制御を行なうことを特徴とする。これにより、装着されている現像ユニットが製造元が品質を確認していない品の場合にも可能な限り適正な濃度調整処理が行われ、良好な画質濃度での出力を保つことができる。
【００１３】
更に、上記の発明において、一つの態様は、前記制御手段が制御する濃度調整処理に、前記現像手段における現像バイアス値の調整が含まれ、前記識別手段によって品質が保証された品でないと識別された場合に、前記識別手段によって品質が保証された品であると識別された場合の前記現像バイアス値の調整範囲よりも広い前記画像形成装置の許容調整範囲をもって前記濃度調整処理が可能であるか否かを判断し、可能であると判断した場合には前記現像バイアス値の調整を行い、可能でないと判断した場合には前記現像バイアス値の調整を行わない、という制御が行われることを特徴とする。
【００１４】
本発明の更なる目的及び、特徴は、以下に説明する発明の実施の形態から明らかになる。
【発明を実施するための最良の形態】
【００１５】
以下、図面を参照して本発明の実施の形態例を説明する。しかしながら、かかる実施の形態例が、本発明の技術的範囲を限定するものではない。なお、図において、同一又は類似のものには同一の参照番号又は参照記号を付して説明する。
【００１６】
図１は、本発明を適用した画像形成装置であるプリンタの実施の形態例に係る構成図である。図１に示すプリンタ２が本発明を適用した画像形成装置であり、ホストコンピュータ１からの印刷要求等に基づいて、所定の印刷媒体に対して画像の形成を行なう装置である。かかるプリンタ２は、装着されているトナーカートリッジ６１１（現像ユニット）が品質が保証された品であるか否かを識別し、その結果に基づいて各トナーカートリッジ６１１に関する濃度調整を制御し、どの様なトナーカートリッジ６１１が装着されている場合にも適切な濃度調整制御が行えるようにしようとするものである。
【００１７】
図１に示すホストコンピュータ１は、プリンタ２に対して印刷要求を行なうホスト装置であり、ユーザ操作等に基づいて画像データと制御コマンドを含む印刷データをプリンタ２に送信する。なお、ホストコンピュータ１は、所謂パーソナルコンピュータなどで構成することができる。ホストコンピュータ１内のプリンタドライバ３は、ホストコンピュータ１内のアプリケーション（図示せず）などからのデータを受け取って、プリンタ２に送信する上記印刷データを生成する部分である。なお、プリンタドライバ３は、前記機能に関する処理をホストコンピュータ１に実行させるプログラムである。
【００１８】
図１に示すように、プリンタ２は、コントローラ部４、エンジン制御部５、エンジン６、及び操作部７などで構成される。コントローラ部４は、前記ホストコンピュータ１から送信される印刷データを受信し、当該データに含まれる制御コマンドを解釈すると共に、当該データに含まれる画像データに対して所定の処理を施してエンジン６側へ提供するデータを生成する。図示していないが、コントローラ部４には、ＣＰＵやメモリなどが備えられており、当該メモリには上記生成したデータなどが格納される。また、コントローラ部４は、プリンタ２の電源投入時、所定枚数の印刷処理が実施された時点、後述する感光体ドラム６２１が交換された時、あるいはトナーカートリッジ６１１が交換されたときなどに、エンジン制御部５に対して濃度調整処理の要求を行う。
【００１９】
次に、エンジン制御部５は、図１に示されるように、ＣＰＵ５１（識別手段、制御手段）、ＲＯＭ５２、ＲＡＭ５３、本体側メモリ５４、及びＩ／Ｆ５５等で構成される。ＣＰＵ５１は、エンジン６の各部を制御する部分であるが、前述したコントローラ部４からの濃度調整要求を受けて濃度調整処理の制御も行い、この濃度調整制御に特徴がある。具体的な制御内容については後述する。
【００２０】
前記ＲＯＭ５２は、エンジン６を制御するための各種プログラムを記憶し、また、前記ＲＡＭ５３は、エンジン６に関する各種情報を一時的に記憶する。次に、本体側メモリ５４は、後述する現像装置６１の各トナーカートリッジ６１１に関する情報等を格納するデータ格納手段である。具体的には、現像装置６１におけるトナーカートリッジ６１１の有無情報や後述するトナーカートリッジ側メモリ６１２に書き込まれたトナーの色情報、消費量情報等を格納する。
【００２１】
また、Ｉ／Ｆ５５は、前記ＣＰＵ５１とトナーカートリッジ側メモリ６１２とのインターフェースであり、ＣＰＵ５１がトナーカートリッジ側メモリ６１２に書き込まれた前記情報を読み出して前記本体側メモリ５４に書き込む際などに用いられる。
【００２２】
次に、エンジン６は、帯電ユニット、露光ユニット、現像装置、転写ユニット等で構成されるが、図１においては、現像装置６１（現像手段）とその他ユニット６２という区分で表現している。図２は、本プリンタ２のエンジン６部分の機構を中心に示した構成図である。
【００２３】
感光体ドラム６２１は、円筒状の導電性基材とその外周面に形成された感光層を有し、中心軸に対して回転可能であり、矢印で示されるように時計方向に回転する。帯電ユニット６２２は、感光体ドラム６２１を帯電し、露光ユニット６２３は内蔵するレーザやＬＥＤアレイなどの光源からのビームを帯電された感光体ドラム６２１に照射して静電気による潜像を形成する。露光ユニット６２３のビーム照射は、ホストコンピュータ１から入力される画像情報に基づいて変調された駆動信号により制御される。
【００２４】
現像装置６１は、現像材であるトナーを収容するトナーカートリッジ６１１Ａ〜６１１Ｄが着脱可能に装着される装着部６１４Ａ〜６１４Ｄを有し、中心軸６１３に対して回転可能な現像ロータリーである。現像装置６１を回転させて必要なトナーカートリッジ６１１Ａ〜６１１Ｄを感光体ドラム６２１に近接させ、現像ローラ６１５Ａ〜６１５Ｄに印加される現像バイアスにより、現像材を潜像が形成された感光体ドラム６２１に供給することで、潜像が現像材による像に現像される。
【００２５】
なお、現像装置６１の装着部６１４Ａ〜６１４Ｄには、ブラックＫ、シアンＣ、マゼンタＭ、イエローＹの現像材をそれぞれ収容するトナーカートリッジ６１１Ａ〜６１１Ｄを装着するなど、様々な色のトナーを組み合わせて装着することもできるが、本実施の形態例では、装着されている全てのトナーカートリッジ６１１Ａ〜６１１ＤにブラックＫのトナーが収容されているものとする。また、これらのトナーカートリッジ６１１Ａ〜６１１Ｄは全て“品質が保証された品”のトナーカートリッジであるとは限らず、“製造元が品質を確認していない品”のトナーカートリッジが混在することもある。なお、トナーカートリッジ６１１Ａ〜６１１Ｄなどに付されているＡ〜Ｄは、現像装置６１におけるトナーカートリッジ６１１の装着位置を識別する記号である。
【００２６】
一次転写ユニット６２６は、感光体６２１に形成されたトナー像を中間転写体６２７に転写する。中間転写体６２７は、例えばＰＥＴフィルムの表面にアルミ蒸着層を形成しその表面に半導電塗料を形成したエンドレスのベルトであり、感光体ドラム６２１と同じ周速度で回転駆動される。そして、二次転写ユニット６２８が、中間転写体６２７に形成されたトナー像を紙などの印刷媒体に転写し、定着ユニット６２９が、印刷媒体上に転写されたトナー像を媒体に溶着させて永久像とし、その印刷媒体はプリンタ２外に排出される。
【００２７】
クリーニングユニット６２４は、一次転写ユニット６２６と帯電ユニット６２２との間に設けられ、感光体ドラム６２１の表面に当接されるクリーニングブレード６２５を有し、一次転写された後に感光体ドラム６２１上に残存する現像材（トナー）がクリーニングブレード６２５により除去される。
【００２８】
また、装着されたトナーカートリッジ６１１の状態をプリンタ２が認識できるように、各トナーカートリッジ６１１には、現像材の色情報、残量情報等を記憶する記憶媒体、例えば非接触型不揮発性メモリ、であるトナーカートリッジ側メモリ６１２Ａ〜６１２Ｄが設けられている。そして、電源が立ち上がった後や、トナーカートリッジ６１１が現像装置６１に装着された後に、そのトナーカートリッジ側メモリ６１２の情報が読み出される。また、現像後にトナーカートリッジ６１１のトナーカートリッジ側メモリ６１２の残量情報が更新される。なお、このトナーカートリッジ側メモリ６１２には、そのトナーカートリッジ６１１の製造元やリサイクル回数などトナーカートリッジ６１１が品質が保証された品であるか否かを判断するための情報が含まれていても良い。
【００２９】
図１に示す操作部７は、ユーザがプリンタ２を操作するための部分であり、表示パネルや操作ボタン等で構成される。当該操作部７では、プリンタ２における印刷条件の設定など各種の設定行為が可能である。
【００３０】
以上説明したような構成を有する本実施の形態例に係るプリンタ２は、印刷時に、ホストコンピュータ１から所定の言語で記述された前記印刷データを供給され、感光体ドラム６２１への静電潜像の形成、対応するトナーカートリッジ６１１による現像、一次転写ユニット６２６による中間転写体６２７へのトナー像の転写を行なう。そして、さらに、二次転写ユニット６２８により紙などの印刷媒体に転写を行い、定着ユニット６２９により定着した後に、プリンタ２外に排出する。また、この印刷処理以外に、良好な画像濃度を保つために、所定のタイミングで濃度調整処理を行う。本プリンタ２では、この濃度調整制御に特徴があり、以下、この点について具体的に説明する。
【００３１】
図３は、本プリンタ２が濃度調整処理を実行する際のＣＰＵ５１が行う濃度調整制御の内容を例示したフローチャートである。まず、ＣＰＵ５１は、コントローラ部４が発する濃度調整要求を受信する（ステップＳ１）。かかる濃度調整要求は、前述のように、プリンタ２の電源投入時、所定枚数の印刷処理が実施された時点、感光体ドラム６２１が交換された時、あるいはトナーカートリッジ６１１が交換されたときなどに発せられる。
【００３２】
濃度調整要求を受けると、ＣＰＵ５１は、各トナーカートリッジ６１１Ａ〜６１１Ｄに関して濃度調整処理の制御を開始し、まず、濃度調整の対象とするトナーカートリッジ６１１が品質が保証された品であるか否かを識別する（ステップＳ２）。この識別の処理は様々な方法で行うことができるが、例えば、前述したトナーカートリッジ側メモリ６１２にアクセスし、そこに記録された製造元の情報から品質が保証された品であるか否かを判断することができる。また、装着されているトナーカートリッジ６１１Ａ〜６１１Ｄが品質が保証された品であるか否かの情報を事前に作成しておき、本体側メモリ５４等にテーブル形式で記憶しておいてもよい。この場合には、ＣＰＵ５１がかかるテーブルにアクセスすることにより、容易に上記識別処理を行うことができる。なお、この事前に作成しておく品質が保証された品であるか否かの情報は、トナーカートリッジ６１１が交換された際などに、上記トナーカートリッジ側メモリ６１２に記憶された情報等からＣＰＵ５１が判断して自動生成してもよいし、プリンタ２のユーザが品質が保証された品であるか否かを知っている場合には、操作部７やホストコンピュータ１での操作によってユーザが入力してもよい。
【００３３】
かかる識別処理の結果、対象のトナーカートリッジ６１１が品質が保証された品である場合には（ステップＳ３のＹｅｓ）、ＣＰＵ５１は通常の濃度調整処理が行われるようにエンジン６の各部を制御する（ステップＳ４）。すなわち、品質が保証された品のトナーカートリッジ６１１に適した濃度調整が行われるように制御する。一方、対象のトナーカートリッジ６１１が製造元が品質を確認していない品である場合には（ステップＳ３のＮｏ）、ＣＰＵ５１は製造元が品質を確認していない品用の濃度調整制御を実施する（ステップＳ５）。図４は、プリンタ２が装着しているトナーカートリッジ６１１が品質が保証された品であるか否かを例示した図である。図４に示す例の場合には、対象としているカートリッジが、トナーカートリッジ６１１Ａ〜６１１Ｃであれば通常の濃度調整制御が行われ、トナーカートリッジ６１１Ｄであれば製造元が品質を確認していない品用の濃度調整制御が行われることになる。
【００３４】
かかる通常の、あるいは、製造元が品質を確認していない品用の濃度調整制御に基づいて濃度調整処理が実行されると、ＣＰＵ５１は、濃度調整を行うべき次のトナーカートリッジ６１１があるかをチェックし（ステップＳ６）、次の対象があれば（ステップＳ６のＹｅｓ）、前記ステップＳ２からの処理を同様に行う。そして、次の対象がなくなれば（ステップＳ６のＮｏ）、すなわち、今回の濃度調整要求に対して調整すべき全てのトナーカートリッジ６１１について処理が終了すると、一連の濃度調整制御を終了する。
【００３５】
このように、本プリンタ２における濃度調整制御では、対象とするトナーカートリッジ６１１が品質が保証された品である場合と製造元が品質を確認していない品である場合とで制御を異にしており、この点が大きな特徴である。なお、通常の制御（ステップＳ４）によって行われる濃度調整処理の一例について以下に説明する。図５は、現像バイアスの調整について説明するための図である。図５に基づいて、濃度調整処理の一つである現像バイアスの調整について説明する。
【００３６】
ＣＰＵ５１は、まず、複数の異なる現像バイアス値で、それぞれ、塗りつぶしのパッチを作像するように指示する。この指示に従って、エンジン６が動作し、調整対象のトナーカートリッジ６１１が感光体ドラム６２１に接近して、各現像バイアス値が印加されてトナー像が形成される。その後、形成された各パッチの濃度がセンサ（図示せず）によって計測される。
【００３７】
図５は、パッチが形成された各現像バイアス値と、計測された各パッチの濃度をプロット（図中の三角）したものである。この例では、通常の（品質が保証された品の）現像バイアスの調整範囲Ｒ１が−１１０Ｖ〜−３３０Ｖに設定されており、その範囲で、異なる６のバイアス値によるパッチ形成が行われている。
【００３８】
その後、ＣＰＵ５１は、上記得られた各パッチの現像バイアス値と濃度値の関係から、予め定められた目標値の濃度（図５の点線）になるような現像バイアスを求める。具体的には、図５に示すように、各パッチについてプロットされた点（図中の三角）間を線形補間し、それによって得られる現像バイアス−濃度曲線（正確には折線）から、目標濃度となる現像バイアス値（−ＸＶ）を求める。そして、求められた現像バイアス値になるように制御を行なう。なお、図５に示すＲ２は、本プリンタ２の現像バイアスについての許容調整範囲を示しており、この例では、−５０Ｖ〜−４００Ｖの範囲は調整が可能である。
【００３９】
以上、通常（品質が保証された品）の濃度調整についてその一例を説明したが、一方、製造元が品質を確認していない品であった場合の制御（図３のステップＳ５）について以下に具体的に説明する。ここでは、３つの制御方法について述べるが、まず、第一の方法では、対象のトナーカートリッジ６１１が製造元が品質を確認していない品であった場合には、濃度調整を行わないという制御を行なう。図６は、かかる第一の方法を示したフローチャートである。図に示すように、この方法では、製造元が品質を確認していない品であると識別された場合には（ステップＳ３のＮｏ）、単に、濃度調整処理を行わずに（ステップＳ５１０）当該トナーカートリッジ６１１についての濃度調整処理を終了し、次のトナーカートリッジ６１１へと処理が移行する（ステップＳ６）。このように、第一の方法では、どのように濃度調整を行えばよいか明らかでない製造元が品質を確認していない品のトナーカートリッジ６１１について濃度調整を行わないので、無理に通常（品質が保証された品用）の濃度調整を行ってしまいエラーが発生するなどの事態となることを避けることができる。
【００４０】
次に、図７は、製造元が品質を確認していない品であった場合の第二の制御方法を示したフローチャートである。第二の方法では、図７の（ａ）に示すように、まず、通常の濃度調整が可能であるか否かが判断される（ステップＳ５２０）。その結果、可能であると判断された場合には（ステップＳ５２０のＹｅｓ）、通常（品質が保証された品用）の濃度調整を行うように制御し、濃度調整が実施される（ステップＳ５２１）。一方、不可能であると判断された場合には（ステップＳ５２０のＮｏ）、濃度調整を行わないという制御を行なう（ステップＳ５２２）。
【００４１】
図８は、第二の方法を説明するための図である。図８は、図５と同様に、現像バイアスと濃度の関係を示した図であるが、例えば、調整対象としている製造元が品質を確認していない品のトナーカートリッジ６１１の特性が図中のａで示すような曲線で表される場合には、前述した通常の調整範囲Ｒ１内において、濃度が目標値となることがないので（図８のｂ部分を参照）、このような場合には、通常の濃度調整が不可能と判断されることになる。
【００４２】
また、図７の（ｂ）は、当該第二の方法をより具体的に例示したフローチャートである。この例によれば、まず、対象としているトナーカートリッジ６１１に対してＮＧフラグなるものが立てられているか否かをチェックする（ステップＳ５２３）。このＮＧフラグは、通常の濃度調整が不可能であることを意味しており、該当する各トナーカートリッジ６１１に対して付加されるものである。そして、このＮＧフラグは、各トナーカートリッジ側メモリ６１２や本体側メモリ５４に収められ、トナーカートリッジ６１１が交換された際などに消去される。
【００４３】
かかるチェックの結果、ＮＧフラグがない場合には（ステップＳ５２３のＮｏ）、通常の濃度調整を実施する（ステップＳ５２５）。そして、問題なく調整が実施されていれば（ステップＳ５２６のＹｅｓ）、当該トナーカートリッジ６１１についての制御を終了し、エラーとなるなど調整が良好に行われなかった場合には（ステップＳ５２６のＮｏ）、前述したＮＧフラグを当該トナーカートリッジ６１１に立てて（ステップＳ５２７）制御を終了する。一方、既にＮＧフラグが立っている場合には（ステップＳ５２３のＹｅｓ）、濃度調整を実施しないで当該トナーカートリッジ６１１についての制御を終了する。
【００４４】
このように、図７の（ｂ）に示す例では、製造元が品質を確認していない品の場合にも１度は通常の濃度調整を試してみて通常の濃度調整が可能であるかを判断し、不可能である場合には、そのことをＮＧフラグで表現して、以降、このＮＧフラグに基づいて濃度調整を行なわない。
【００４５】
以上説明したように、第二の方法では、トナーカートリッジ６１１が製造元が品質を確認していない品であった場合にも、通常の濃度調整が可能であれば濃度調整を実施して良好な濃度での出力を実現でき、また、通常の濃度調整が不可能であるば濃度調整を行ってエラーとなる回数を減らすことができる。
【００４６】
次に、図９は、製造元が品質を確認していない品であった場合の第三の制御方法を示したフローチャートである。第三の方法では、図９の（ａ）に示すように、まず、対象のトナーカートリッジ６１１について通常の濃度調整であるか否かを問わず濃度調整が可能であるか否かをチェックする（ステップＳ５３０）。その結果、可能であると判断された場合には（ステップＳ５３０のＹｅｓ）、濃度調整を実施する（ステップＳ５３１）。一方、不可能であると判断された場合には（ステップＳ５３０のＮｏ）、濃度調整を行わないという制御を行なう（ステップＳ５３２）。すなわち、対象となっている製造元が品質を確認していない品について本プリンタ２において濃度調整が可能であれば実施し、可能でなければ実施しないという制御を行なう。ここで、濃度調整が可能であるか否かの判断は、様々な方法で行うことができるが、その判断の一例も含めて、図９の（ｂ）に示すフローチャートに基づいて、第三の方法によるより具体的な処理例を説明する。
【００４７】
図９の（ｂ）は、製造元が品質を確認していない品のトナーカートリッジ６１１について前述した現像バイアス値の調整を行おうとする場合の例であり、まず、可能な最も小さい現像バイアス値（正確には、絶対値が最小の現像バイアス値）での前記パッチの生成を行う（ステップＳ５３３）。図１０は、図９の（ｂ）に示す方法を説明するための図である。前記最小現像バイアス値でのパッチ生成は、図１０に示す例では、前述したプリンタ２の許容調整範囲Ｒ２の最小値−５０Ｖでパッチ生成を行うことを意味する。
【００４８】
次に、生成したパッチについて濃度を検出し（ステップＳ５３４）、その濃度に問題があるか否かをチェックする（ステップＳ５３５）。ここで問題があるか否かは、例えば、検出した濃度値が目標値よりも高いか否かで判断する。図１０の（ａ）に示すように、この最小現像バイアス値で生成されたパッチについてｃに示す位置にプロットされた場合には、すなわち、最小現像バイアス値での濃度が目標値よりも高い場合には、現像バイアスと濃度の関係が図のｄに示す曲線のようになること、言い換えれば、現像バイアス値が許容調整範囲Ｒ２の間で濃度が目標値になることはないことが予想される。従って、このような場合には、本プリンタ２において良好な濃度値とするための現像バイアス値の調整が不可能であり、問題があると判断する。
【００４９】
このように、検出された濃度値に問題があると判断された場合には（ステップＳ５３５のＮｏ）、前述のように、適正な濃度調整ができないので濃度調整処理を実行しない（ステップＳ５４１）。一方、検出された濃度値に問題がないと判断された場合には（ステップＳ５３５のＹｅｓ）、可能な最も大きい現像バイアス値（正確には、絶対値が最大の現像バイアス値）での前記パッチの生成を行う（ステップＳ５３６）。この最大現像バイアス値でのパッチ生成は、図１０に示す例では、前述したプリンタ２の許容調整範囲Ｒ２の最大値−４００Ｖでパッチ生成を行うことを意味する。
【００５０】
次に、生成したパッチについて濃度を検出し（ステップＳ５３７）、その濃度に問題があるか否かをチェックする（ステップＳ５３８）。ここで問題があるか否かは、例えば、検出した濃度値が目標値よりも低いか否かで判断する。図１０の（ａ）に示すように、この最大現像バイアス値で生成されたパッチについてｆに示す位置にプロットされた場合には、すなわち、最大現像バイアス値での濃度が目標値よりも低い場合には、前記ステップ５３５において最小現像バイアスでの濃度が目標値よりも低いと判断されているので（図１０の（ａ）のｅ）、現像バイアスと濃度の関係が図のｇに示す曲線のようになること、言い換えれば、現像バイアス値が許容調整範囲Ｒ２の間で濃度が目標値になることはないことが予想される。従って、このような場合には、本プリンタ２において良好な濃度値とするための現像バイアス値の調整が不可能であり、問題があると判断する。
【００５１】
このように、検出された濃度値に問題があると判断された場合には（ステップＳ５３８のＮｏ）、前述のように、適正な濃度調整ができないので濃度調整処理を実行しない（ステップＳ５４１）。一方、検出された濃度値に問題がないと判断された場合には（ステップＳ５３８のＹｅｓ）、当該トナーカートリッジ６１１について濃度調整を行うべく、その調整範囲を決定する（ステップＳ５３９）。
【００５２】
図１０の（ｂ）には、前記ステップＳ５３８で問題なしと判断された場合の例を示しており、最小現像バイアス値で生成されたパッチについてはｈに示す位置にプロットされ、最大現像バイアス値で生成されたパッチについてｉに示す位置にプロットされている。従って、ｊで示す曲線のような特性が予想され、許容調整範囲Ｒ２の間で濃度が目標値になり得るので、このような場合には濃度調整を行う。そして、プロット点ｈ及びｉの位置関係から、例えば、図のＲ３で示す範囲が調整範囲として決定される。
【００５３】
このように調整範囲が決定されると、その範囲内において、図５に基づいて説明した通常の調整と同様の手順で濃度調整処理が実施される（ステップＳ５４０）。図１０の（ｂ）に示す例では、各プロット点（図の三角）間が線形補間され、目標値の濃度を出すための現像バイアス−ＹＶが導かれ、その値に設定される。
【００５４】
このようにして、図９の（ｂ）に示す方法では、本プリンタ２における現像バイアス値の調整が可能であるかをチェックし、可能な場合のみ適正な調整範囲において調整処理を実行する。
【００５５】
以上説明したように、第三の方法によれば、対象のトナーカートリッジ６１１が製造元が品質を確認していない品である場合に、通常の調整範囲を越えてプリンタ２の許容範囲で濃度調整の可能性がチェックされるので、製造元が品質を確認していない品であっても濃度調整が実行されて良好な濃度での画像出力ができる可能性がより高くなる。また、プリンタ２の許容範囲で濃度調整ができない場合には、濃度調整処理が実行されないので処理がエラーで中断するようなことを避けることができる。
【００５６】
なお、前記第二の方法において、通常の濃度調整ができないと判断された場合（図７の（ａ）のステップＳ５２０のＮｏ）に、直ぐに濃度調整を行わないと判断せずに、上記第三の方法を適用するようにしてもよい。すなわち、通常の濃度調整ができない場合に、調整範囲をプリンタ２の許容範囲まで広げて調整が可能であるか否かを判断し、その結果、可能であれば濃度調整処理を実施するようにする。これにより、製造元が品質を確認していない品の際に濃度調整がなされる機会が多くなる。
【００５７】
以上説明したように、本実施の形態例に係るプリンタ２では、濃度調整の際にトナーカートリッジ６１１が品質が保証された品であるか否かが考慮され、それぞれに適した制御がなされる。そして、製造元が品質を確認していない品である場合には、可能な限り濃度調整が実行されるように制御が行われる。従って、製造元が品質を確認していない品である場合にも適切に濃度調整が行われる可能性が高くなり、また、製造元が品質を確認していない品に対して誤った方法で濃度調整を実行してしまうこともなくなる。
【００５８】
なお、前述の説明では濃度調整の具体例として現像バイアスの調整について述べたが、濃度調整の具体的な内容は他のものであってもよい。例えば、露光ユニット６２３における露光パワーの調整や濃度の階調補正などの濃度調整に関しても本発明を適用することができる。また、前記実施の形態例においては、複数の黒のトナーカートリッジ６１１を装着した装置として説明したが、ＣＭＹＫの各トナーカートリッジを装着する場合や、一つの黒のトナーカートリッジを装着する場合においても、本発明を適用することができる。また、本実施の形態例では、各色毎に順番に印刷処理を行ういわゆる４サイクルの装置として説明したが、各色の処理を並行して行ういわゆるタンデム式の装置についても、本発明を適用することができる。
【００５９】
本発明の保護範囲は、上記の実施の形態に限定されず、特許請求の範囲に記載された発明とその均等物に及ぶものである。
【図面の簡単な説明】
【００６０】
【図１】本発明を適用した画像形成装置の実施の形態例に係る構成図である。
【図２】本プリンタ２のエンジン６部分の機構を中心に示した構成図である。
【図３】ＣＰＵ５１が行う濃度調整制御の内容を例示したフローチャートである。
【図４】プリンタ２のトナーカートリッジが品質が保証された品であるか否かを例示した図である。
【図５】現像バイアスの調整について説明するための図である。
【図６】製造元が品質を確認していない品であった場合の第一の制御方法を示したフローチャートである。
【図７】製造元が品質を確認していない品であった場合の第二の制御方法を示したフローチャートである。
【図８】製造元が品質を確認していない品であった場合の第二の方法を説明するための図である。
【図９】製造元が品質を確認していない品であった場合の第三の制御方法を示したフローチャートである。
【図１０】図９の（ｂ）に示す方法を説明するための図である。
【符号の説明】
【００６１】
１  ホストコンピュータ、  ２  プリンタ、  ３  プリンタドライバ、  ４  コントローラ部、  ５  エンジン制御部、  ６  エンジン、  ７  操作部、  ５１  ＣＰＵ（識別手段、制御手段）、  ５２  ＲＯＭ、  ５３  ＲＡＭ、  ５４  本体側メモリ、  ５５  Ｉ／Ｆ、  ６１  現像装置（現像手段）、  ６２  その他ユニット、  ６１１  トナーカートリッジ（現像ユニット）、  ６１２  トナーカートリッジ側メモリ
【図１】
2006030514.tif 000003
【図２】
2006030514.tif 000004
【図３】
2006030514.tif 000005
【図４】
2006030514.tif 000006
【図５】
2006030514.tif 000007
【図６】
2006030514.tif 000008
【図７】
2006030514.tif 000009
【図８】
2006030514.tif 000010
【図９】
2006030514.tif 000011
【図１０】
2006030514.tif 000012